(57)【要約】【課題】    少量の石鹸によっても泡立ちがよく、濯いだ時の泡切れがよく、アトピー体質の人が使用できるように肌触りがよく、刺激の少ない浴用具を提供する。【解決手段】  木綿製日本てぬぐい又はさらし木綿１と合成繊維製布地２とからなり、日本てぬぐい又はさらし木綿の幅および長さよりも合成繊維製布地の幅および長さがそれぞれ短かく、日本てぬぐい又はさらし木綿の縁より内側の位置に前記合成繊維製布地の全ての縁が位置しており、日本てぬぐい又はさらし木綿に合成繊維製布地が縫着３、４されている。  日本てぬぐい又はさらし木綿１と組合わされる布地２がメッシュ状の布地である場合は、合成繊維に限られず木綿などの天然繊維やレーヨン、アセテートなどの半合成繊維からなる布地を使用することもできる。【選択図】  図１
2005270206.tif 000002
【特許請求の範囲】
【請求項１】
木綿製日本てぬぐい又はさらし木綿と合成繊維製布地とからなり、前記てぬぐい又はさらし木綿の幅および長さよりも前記合成繊維製布地の幅および長さがそれぞれ短かく、前記てぬぐい又はさらし木綿の縁より内側の位置に前記合成繊維製布地の全ての縁が位置しており、前記てぬぐい又はさらし木綿に前記合成繊維製布地が縫着されていることを特徴とする浴用てぬぐい。
【請求項２】
木綿製日本てぬぐい又はさらし木綿とメッシュ状布地とからなり、前記てぬぐい又はさらし木綿の幅および長さよりも前記メッシュ状布地の幅および長さがそれぞれ短かく、前記てぬぐい又はさらし木綿の縁より内側の位置に前記メッシュ状布地の全ての縁が位置しており、前記てぬぐい又はさらし木綿に前記メッシュ状布地が縫着されていることを特徴とする浴用てぬぐい。
【発明の詳細な説明】
【技術分野】
【０００１】
本発明は入浴時に体を洗うための浴用具に関するものである。
【背景技術】
【０００２】
従来、浴用具としては一般にタオルが使用されている。タオルは、その片面または両面にループ（輪奈）が全面的に形成されているものである。
【０００３】
また、垢すりに適した浴用具としては、ナイロン製などの垢すり布が知られている。
【０００４】
また、特に美容によい浴用具としては、例えば、実開平２−６７９２１号公報（特許文献１）には、絹からなる布と、レーヨン、麻またはナイロンからなる布とを縫合わせて縁取りをした化粧用絹タオルが提案されている。
【０００５】
【特許文献１】実開平２−６７９２１号公報
【発明の開示】
【発明が解決しようとする課題】
【０００６】
従来、一般に使用されているタオルはループが表面全体に形成されているため、少量の石鹸や液状のボディシャンプーなどではなかなか泡が立たず、石鹸類を多量に使わなければいけないという問題がある。また、身体を洗った後にタオルを濯ぐと、タオルのループの間に石鹸類が入り込んでいる状態であるので、なかなか石鹸類が落ちず、繰返し濯ぐために多量の湯、水を必要とするという問題がある。更に、タオルは生地が厚手なため、乾燥し難いという問題がある。
【０００７】
一方、従来使われているナイロン製などの垢すりにおいては、皮膚への適度な刺激があるとしているが、敏感肌の人やアトピー体質の人にとっては刺激が強過ぎて使用できるものではない。
【０００８】
また、前述した特許文献１において提案されている化粧用絹タオルは、絹を素材とすることにより肌の古い角質を取除くようにするものであるが、絹糸はナイロン等の合成繊維のフィラメントと同様に長繊維である絹を通常そのまま使用しているため、紡績糸である木綿糸に比べて硬く、刺激が大きいので、肌が弱い人にとっては、やはり刺激が強いという問題がある。
【０００９】
本発明は、タオルに比較して少量の石鹸（液状のボディシャンプーを含む）によっても泡立ちがよく、しかも身体を洗った後、濯いだ時の泡切れがよい浴用具を提供することを目的とする。特に、本発明の浴用具は、アトピー体質の人が使用できるように肌触りがよく、刺激の少ないような浴用具を提供することである。また、普通肌の人には必要に応じて垢すりなどもできるようにした浴用具を提供することである。
【課題を解決するための手段】
【００１０】
本発明は、木綿製日本てぬぐい又はさらし木綿と合成繊維製布地とからなり、前記てぬぐい又はさらし木綿の幅および長さよりも前記合成繊維製布地の幅および長さがそれぞれ短かく、前記てぬぐい又はさらし木綿の縁より内側の位置に前記合成繊維製布地の全ての縁が位置しており、前記てぬぐい又はさらし木綿に前記合成繊維製布地が縫着されていることを特徴とする浴用てぬぐいにより前記課題を達成するものである。
【００１１】
また日本てぬぐい又はさらし木綿と組合わされる布地がメッシュ状の布地である場合は、合成繊維に限られず木綿などの天然繊維やレーヨン、アセテートなどの半合成繊維からなる布地を使用することもできる。
【発明の効果】
【００１２】
本発明の浴用てぬぐいによれば、その片面が木綿製の所謂日本てぬぐい又はさらし木綿であり、ループやカットパイルなどがなく、しかも比較的目の粗い平織からなるものであり、他の面が合成繊維製の布地またはメッシュ状の布地からなっているものであるため、少量の石鹸でも泡立ちがよく、しかも濯いだ際には非常に泡切れがよいものである。従って、多量のお湯を使わなくても充分に濯ぐことができ、節水効果がある。
【００１３】
また、本発明の浴用てぬぐいにおいては、片面が比較的目の粗い布地である日本てぬぐい又はさらし木綿であり、これにはループやカットパイルなどがなく、他面が合成繊維製の布地またはメッシュ状の布地であるため、乾燥するときも短時間で乾燥し、衛生的である。
【００１４】
更に、本発明によれば、合成繊維製の布地やメッシュ状の布地は木綿製の日本てぬぐい又はさらし木綿の縁よりも内側に入った状態で縫着されているものであるため、体を洗う際は柔らかな感触の日本てぬぐい又はさらし木綿で洗え、しかもその日本てぬぐい又はさらし木綿の側が大きいので縫合わされている反対側の布地が肌に当たることがない。このため、アトピー体質などの肌の弱い人が使用しても安心して使用することができる。
【００１５】
また、普通肌の人にとっては合成繊維製布地の側あるいはメッシュ状布地の側を用いて体を洗うことにより適度な刺激を得ることができ、気持ちのよいものとなる。
【発明を実施するための最良の形態】
【００１６】
以下、図面に示した実施例に基いて本発明を詳細に説明する。図１は本発明の浴用てぬぐいの平面図であり、図２は図１においてＡ−Ａ線に沿って断面した断面図であり、図３は図１におけるＢ−Ｂ線に沿って断面した断面図である。
【００１７】
本発明の浴用てぬぐいは、その片面が木綿製の日本てぬぐい又はさらし木綿１で構成されており、この日本てぬぐい又はさらし木綿１の片面に布地２が縫着されているものである。なお、長尺のさらし木綿の場合は８０〜１２０ｃｍ位に裁断して使用すればよい。
【００１８】
日本てぬぐい又はさらし木綿１はやや太番手の木綿糸で平織に織られたものであり（例えば、さらし木綿は普通１６〜２０番手の単糸の木綿糸を平織にしたものである）、その織密度は通常の衣服などにおける平織布よりも遥かに織密度が粗くなっており、水切れ、乾燥がし易く、しかも肌触りがよい。
【００１９】
また、日本てぬぐい又はさらし木綿１は、その長手方向の縁１１は耳で形成されているが、幅方向の縁１２（図２参照）は通常、裁ち切り状態となっているものである。このため、好ましくは図２に示すように、裁ち切り状態の縁１２が隠れるように折返した状態として縫製すると、裁ち切り状態の縁１２からほつれが生じない。
【００２０】
布地２はナイロンなどの合成繊維からなる布地（例えば、従来垢すり用タオルとして使われているナイロン製のものなど）である。このような合成繊維製の布地は水分を含まない性質であるため、ループや浮き糸などがその表面に形成されていても、水分を吸わないので水切れがよく、乾燥し易いものである。
【００２１】
或いは、布地２は天然繊維またはレーヨン、アセテートなどの半合成繊維をからなる布地を用いる場合は、穴が開いているメッシュ状の布地とすることが好ましい。このようにメッシュ状のものであれば水切りもよく、風通しもよいので乾燥し易いものとなる。なお、メッシュ状の布地が合成繊維からなる布地であってもよい。
【００２２】
布地２は、図１に示すように、その長手方向の縁２１および幅方向の縁２２の何れの長さも、日本てぬぐい（さらし木綿）１の長さや幅よりも短いものとなっている。この布地２の縁２１、２２が日本てぬぐい又はさらし木綿１の周縁から内側になるように位置させて、日本てぬぐい（さらし木綿）１と布地２とが縫い合わされている。
【００２３】
図示した実施例では、先ず、布地２の縁２１、２２が日本てぬぐい（さらし木綿）１の周縁から内側になるように位置させて、布地２の長手方向の縁２１に沿って縫目３で日本てぬぐい（さらし木綿）１に縫い付ける。そして、日本てぬぐい（さらし木綿）１の裁ち切り状態の縁１２が内側にくるように折返した状態で縫目４により布地２の幅方向の縁２２とともに縫合わせる。このように裁ち切り状態の縁１２を外から内側に包み込むことにより縁１２からほつれが生じないようにすることができる。
【００２４】
なお、日本てぬぐい（さらし木綿）１と布地２との縫い合わせは、長手方向の縁だけでもよいし、また、図示した実施例では縫目４により日本てぬぐい（さらし木綿）１と布地２とを縫い合わせているが、縫目４により日本てぬぐい（さらし木綿）１の縁の箇所のみを縫い、布地２とを縫い合わせは別に行ってもよい。
【図面の簡単な説明】
【００２５】
【図１】本発明の浴用てぬぐいの一実施例の平面図である。
【図２】図１におけるＡ−Ａ線に沿って断面した断面図であり、模式的に示されている。
【図３】図１におけるＢ−Ｂ線に沿って断面した断面図であり、模式的に示されている。
【符号の説明】
【００２６】
１  日本てぬぐい又はさらし木綿
２  布地
３  縫目
４  縫目
【図１】
2005270206.tif 000003
【図２】
2005270206.tif 000004
【図３】
2005270206.tif 000005